(57)【特許請求の範囲】
【請求項１】
アナログ通信網において一つの加入者回線に接続された複数の通信機器と保安器の間に接続され、加入者回線に流れる電流を検知する電流検出部と、日時を計時する計時部と、データを記録する記録部と、前記記録部の記録内容を合成音声あるいはＰＢ信号で通知する音声発生部と、ＰＢ信号もしくは音声信号を認識するＰＢ信号／音声信号検出部とを具備し、前記電流検出部で電流を検知した日時および電流検知後に電流断を検知した日時を通信記録として前記記録部に記録し、前記ＰＢ信号／音声信号検出部で認識したＰＢ信号もしくは音声信号による他対地からの該通信記録読み出しの要求に対して、自動的に合成音声あるいはＰＢ信号で、前記記録部の記録内容を通知することを特徴とする通信記録アダプタ。
【請求項２】
呼出信号に使用されている１５Ｈｚから２０Ｈｚの交流信号を検知する呼出信号検知部と、前記呼出信号検知部で１５〜２０Ｈｚの交流信号を検知した後、３秒間あるいは予め設定された時間の間に電流検知された場合は、着信応答と見なし、該交流信号を検知せずに電流検知がなされた場合は、発信と見なし、該交流信号を検知した後、３秒間あるいは予め設定された時間の間に電流検知がなされなかった場合は、着信に不応答と見なすように判断する解析部を具備し、前記解析部が判断した情報と、電流を検知した日時および電流検知後に電流断を検知した日時を通信記録として記録部に記録することを特徴とする請求項１記載の通信記録アダプタ。
【請求項３】
識別番号を予め登録する設定部と、前記設定部に登録された識別番号とＰＢ信号／音声信号検出部で認識された発信者からのＰＢ信号と比較する解析部を具備し、他対地からの着信後に他対地から送られてくるＰＢ信号が予め登録された識別番号と一致したときのみ、記録部の通信記録内容を通知することを特徴とする請求項１または２記載の通信記録アダプタ。
【請求項４】
発信者の電話番号を予め登録する設定部と、発信者の電話番号を認識する電話番号検出部と、前記電話番号検出部で認識した電話番号と予め登録された電話番号を比較する解析部を具備し、他対地からの着信時に発信者の電話番号が一致したときには、通信機器に呼び出し信号を送出せずに、記録部の通信記録内容を通知することを特徴とする請求項１または２記載の通信記録アダプタ。
【請求項５】
ＩＳＤＮ通信網において一つの加入者回線に接続された複数の通信機器に設けられた一つの回線終端装置（ＤＳＵ）と保安器の間に接続され、回線終端機能部と、配下の回線終端装置（ＤＳＵ）に対する網終端機能部と、該回線のメッセージ分解／組立をする分解／組立部と、該回線の使用状況を監視し呼設定メッセージの方向で発呼、着呼を、応答メッセージで通信の開始を、切断メッセージで通信の終了を判断する解析部と、日時を計時する計時部と、データを記録する記録部と、前記記録部の記録内容を合成音声あるいはＰＢ信号のデータに変換する音声データ変換部を具備し、前記解析部で抽出された情報及びその情報を検出した日時を前記記録部に記録し、他対地からの通信記録読み出しの要求に対して、自動的に合成音声あるいはＰＢ信号で、前記記録部の記録内容を通知することを特徴とする通信記録アダプタ。
【請求項６】
ディジタル通信モード（伝達能力：非制限ディジタル）のときはＤチャネルを使用したＵＵＩ情報での他対地からの通信記録読み出し要求に対し、記録部の通信記録内容をＤチャネルを使用してＵＵＩ情報でディジタルデータとして回答し、通話モード（伝達能力：音声、３．１Ｋオーディオ）のときは記録部の通信記録内容を音声データ変換部で変換しＢチャネルを使用して合成音声あるいはＰＢ信号のディジタルデータで回答することを特徴とする請求項５記載の通信記録アダプタ。
【請求項７】
発信者からのＰＢ信号を認識するＰＢ信号検出部と、識別番号を予め登録する設定部と、前記設定部に登録された識別番号とＰＢ信号検出部で認識された発信者からのＰＢ信号と比較する解析部を具備し、他対地からの着信後に他対地から送られてくるＰＢ信号が予め登録された識別番号と一致したときのみ、記録部の通信記録内容を通知することを特徴とする請求項５または６記載の通信記録アダプタ。
【請求項８】
電話番号（発アドレス）および発サブアドレスおよび着サブアドレスを予め登録する設定部と、発信者からの電話番号（発アドレス）および発サブアドレスおよび着サブアドレスを認識する分解／組立部と、前記分解／組立部で認識した発信者からの電話番号（発アドレス）および発サブアドレスおよび着サブアドレスと、予め登録された電話番号（発アドレス）および発サブアドレスおよび着サブアドレスを比較する解析部を具備し、他対地からの着信時にこれらが一致したときには、配下の回線終端装置（ＤＳＵ）に制御情報を通知せず、記録部の通信記録内容を通知することを特徴とする請求項５または６記載の通信記録アダプタ。
【請求項９】
他のセンサ装置を接続するための外部インターフェースをもち、外部からのセンサ情報を記録することを特徴とする請求項１乃至８のいずれか１項記載の通信記録アダプタ。
【発明の詳細な説明】
【０００１】
【発明の属する技術分野】
本発明は、安否確認の為の生活リズム情報の一つとして電気通信の利用状況を監視、記録し、遠隔からその情報を確認できる通信記録アダプタに係り、特に、セキュリティシステムの中で利用する通信記録アダプタに関するものである。
【０００２】
【従来の技術】
従来、安否確認方法として、ガス、水道、電気などの消費状況の監視、電子レンジ、冷蔵庫など家電類の利用状況の監視、鍵、窓などから直接人の動きを含めたセンサ情報の監視などを推定データとして、そのデータの挙動から異常が発生したものと判断した場合、警報を発生させる方法が各種考案されている。
【０００３】
【発明が解決しようとする課題】
上記のように広い意味で各種のセンサを配備し、そのデータの挙動から異常を推量したときに、通信手段を用いて警報を通知することは、システムとして大掛かりになる欠点がある。これからの独居老人の増加などを考えれば、もっと簡易で安価なシステムの実現が望まれる。
【０００４】
そのために生活リズム情報として有効となる通信の利用状況を通信記録として蓄積し、その情報を遠隔から確認して安否の推定を行おうとするものである。この場合も従来であれば、交換機システム側（電話局内交換機、ＰＢＸ（構内交換機）、ビジネスホン、ホームテレホン主装置など）で通信状況を監視することが必要と考えられ、一つの回線に複数の通信機器が接続された状況で通信記録を確認して安否を推量することはできなかった。
【０００５】
本発明は上記の事情に鑑みてなされたもので、通信利用の状態を記録し遠隔から確認する機能をもたせることで、普遍的で簡易なセキュリティ機能を実現することができる通信記録アダプタを提供することを目的とする。
【０００６】
【課題を解決するための手段】
上記目的を達成するために本発明の通信記録アダプタは、アナログ通信網において一つの加入者回線に接続された複数の通信機器と保安器の間に接続され、加入者回線に流れる電流を検知する電流検出部と、日時を計時する計時部と、データを記録する記録部と、前記記録部の記録内容を合成音声あるいはＰＢ信号で通知する音声発生部と、ＰＢ信号もしくは音声信号を認識するＰＢ信号／音声信号検出部とを具備し、前記電流検出部で電流を検知した日時および電流検知後に電流断を検知した日時を通信記録として前記記録部に記録し、前記ＰＢ信号／音声信号検出部で認識したＰＢ信号もしくは音声信号による他対地からの該通信記録読み出しの要求に対して、自動的に合成音声あるいはＰＢ信号で、前記記録部の記録内容を通知することを特徴とするものである。
【０００７】
また本発明は、前記通信記録アダプタにおいて、呼出信号に使用されている１５Ｈｚから２０Ｈｚの交流信号を検知する呼出信号検知部と、前記呼出信号検知部で１５〜２０Ｈｚの交流信号を検知した後、３秒間あるいは予め設定された時間の間に電流検知された場合は、着信応答と見なし、該交流信号を検知せずに電流検知がなされた場合は、発信と見なし、該交流信号を検知した後、３秒間あるいは予め設定された時間の間に電流検知がなされなかった場合は、着信に不応答と見なすように判断する解析部を具備し、前記解析部が判断した情報と、電流を検知した日時および電流検知後に電流断を検知した日時を通信記録として記録部に記録することを特徴とするものである。
【０００８】
また本発明は、前記通信記録アダプタにおいて、識別番号を予め登録する設定部と、前記設定部に登録された識別番号とＰＢ信号／音声信号検出部で認識された発信者からのＰＢ信号と比較する解析部を具備し、他対地からの着信後に他対地から送られてくるＰＢ信号が予め登録された識別番号と一致したときのみ、記録部の通信記録内容を通知することを特徴とするものである。
【０００９】
また本発明は、前記通信記録アダプタにおいて、発信者の電話番号を予め登録する設定部と、発信者の電話番号を認識する電話番号検出部と、前記電話番号検出部で認識した電話番号と予め登録された電話番号を比較する解析部を具備し、他対地からの着信時に発信者の電話番号が一致したときには、通信機器に呼び出し信号を送出せずに、記録部の通信記録内容を通知することを特徴とするものである。
【００１０】
また本発明の通信記録アダプタは、ＩＳＤＮ通信網において一つの加入者回線に接続された複数の通信機器に設けられた一つの回線終端装置（ＤＳＵ）と保安器の間に接続され、回線終端機能部と、配下の回線終端装置（ＤＳＵ）に対する網終端機能部と、該回線のメッセージ分解／組立をする分解／組立部と、該回線の使用状況を監視し呼設定メッセージの方向で発呼、着呼を、応答メッセージで通信の開始を、切断メッセージで通信の終了を判断する解析部と、日時を計時する計時部と、データを記録する記録部と、前記記録部の記録内容を合成音声あるいはＰＢ信号のデータに変換する音声データ変換部を具備し、前記解析部で抽出された情報及びその情報を検出した日時を前記記録部に記録し、他対地からの通信記録読み出しの要求に対して、自動的に合成音声あるいはＰＢ信号で、前記記録部の記録内容を通知することを特徴とするものである。
【００１１】
また本発明は、前記通信記録アダプタにおいて、ディジタル通信モード（伝達能力：非制限ディジタル）のときはＤチャネルを使用したＵＵＩ情報での他対地からの通信記録読み出し要求に対し、記録部の通信記録内容をＤチャネルを使用してＵＵＩ情報でディジタルデータとして回答し、通話モード（伝達能力：音声、３．１Ｋオーディオ）のときは記録部の通信記録内容を音声データ変換部で変換しＢチャネルを使用して合成音声あるいはＰＢ信号のディジタルデータで回答することを特徴とするものである。
【００１２】
また本発明は、前記通信記録アダプタにおいて、発信者からのＰＢ信号を認識するＰＢ信号検出部と、識別番号を予め登録する設定部と、前記設定部に登録された識別番号とＰＢ信号検出部で認識された発信者からのＰＢ信号と比較する解析部を具備し、他対地からの着信後に他対地から送られてくるＰＢ信号が予め登録された識別番号と一致したときのみ、記録部の通信記録内容を通知することを特徴とするものである。
【００１３】
また本発明は、前記通信記録アダプタにおいて、電話番号（発アドレス）および発サブアドレスおよび着サブアドレスを予め登録する設定部と、発信者からの電話番号（発アドレス）および発サブアドレスおよび着サブアドレスを認識する分解／組立部と、前記分解／組立部で認識した発信者からの電話番号（発アドレス）および発サブアドレスおよび着サブアドレスと、予め登録された電話番号（発アドレス）および発サブアドレスおよび着サブアドレスを比較する解析部を具備し、他対地からの着信時にこれらが一致したときには、配下の回線終端装置（ＤＳＵ）に制御情報を通知せず、記録部の通信記録内容を通知することを特徴とするものである。
【００１４】
また本発明は、前記通信記録アダプタにおいて、他のセンサ装置を接続するための外部インターフェースをもち、外部からのセンサ情報を記録することを特徴とするものである。
【００１５】
本発明は、通信回線の使用状況を監視して記録し、遠隔から確認できる簡易な通信機器である。
【００１６】
アナログ回線においては、発信時と着信時の呼び出し信号に応答したとき、その回線は閉成され、電流が流れる。したがって、複数接続された通信機器のいずれが使用されても検知できるように、加入者回線に取り付けられた保安器に最も近い位置に電流の流れたことを検出する装置を取り付け、これの検知によって、発信や着信に対する応答操作の推定根拠とする。
【００１７】
ＩＳＤＮ回線では、１回線に８台までの通信機器が接続できるが、個々の通信機器では、通信チャネルの使用状況を監視し記録することができない。このため、アナログ回線と同様に保安器に最も近いＩＳＤＮ回線入り口すなわち回線終端装置（ＤＳＵ）の位置で回線の使用状況を監視する必要がある。
【００１８】
なお、この通信記録情報を誰もが取得したり音声で確認できることはプライバシー上問題となるので、特定の相手に限定すべきである。その方法として相手装置の設置場所または装置を識別する電話番号（発アドレス）、発サブアドレスをみる方法や、出先からの確認も考え通常オープンにされず特定の人しか知り得ない通信記録装置の着サブアドレスをみて応答する方法、さらには、任意に変更できる識別用の番号をユーザ装置側から設定し、それらの番号を相手装置から入力させ合致した時にのみ、記録内容を通知した方が望ましい。
【００１９】
【発明の実施の形態】
以下図面を参照して本発明の実施形態例を詳細に説明する。
【００２０】
図１は本発明の実施形態例に係る通信記録アダプタを利用したアナログネットワークシステムを示す構成例である。すなわち、記録、通知側の加入者回線に接続されたアナログ端末例えば電話機等１１と保安器１０の間に通信記録アダプタ１２が接続される。前記通信記録アダプタ１２は発信や応答による電流検出周期や応答後の状態を監視し、記録する。確認側で通信記録を確認したい場合には、他対地からの確認要求により、前記通信記録アダプタ１２の記録内容を合成音声あるいはＰＢ信号で通知する。すなわち、通信記録データ確認用パソコン（ＰＣ）１９またはディジタル端末例えば電話機等１４からＩＳＤＮ１３を経由して要求するか、アナログ端末例えば電話機等１６からアナログ電話網１５を経由して要求するか、あるいは携帯電話またはポケットベル１８から無線網１７を経由して要求することにより、前記通信記録アダプタ１２の記録内容を合成音声あるいはＰＢ信号で通知する。
【００２１】
図２は本発明の実施形態例に係る通信記録アダプタを利用したＩＳＤＮシステムを示す構成例である。すなわち、記録、通知側の加入者回線に接続された例えば電話機等のディジタル端末として回線終端装置（ＤＳＵ）２１を有する電話機２２よりなる装置と保安器２０の間に通信記録アダプタ２３が接続される。前記通信記録アダプタ２３は呼設定の方向や応答メッセージや応答後の切断メッセージを監視し、記録する。確認側で通信記録を確認したい場合には、他対地からの確認要求により、前記通信記録アダプタ２３の記録内容を合成音声あるいはＰＢ信号、またはＵＵＩ情報で通知する。すなわち、通信記録データ確認用パソコン（ＰＣ）１９またはディジタル端末例えば電話機等１４からＩＳＤＮ２４を経由して要求するか、アナログ端末例えば電話機等１６からアナログ電話網２６を経由して要求するか、あるいは携帯電話またはポケットベル１８から無線網２８を経由して要求することにより、前記通信記録アダプタ２３の記録内容を通知する。
【００２２】
図３は本発明の通信記録アダプタのアナログネットワークにおける一例を示す機能ブロック構成図である。
【００２３】
図において、３０は解析部、３１は記録、通知側の加入者回線に接続されたアナログ端末例えば電話機の受話器、３２は加入者回線を含む通信回線、３３は加入者回線に流れる電流を検知する電流検出部、３４はデータを記録する記録部、３５は日時を計時する計時部、３６は設定部、３７は発信者の電話番号を認識する電話番号検出部、３８は自動的に合成音声あるいはＰＢ信号で記録部３４の記録内容を通知する音声発生部、３９は呼出信号に使用されている１５Ｈｚから２０Ｈｚの交流信号を検知する呼出信号検知部、４０はＰＢ信号もしくは音声信号を認識するＰＢ信号／音声信号検出部である。
【００２４】
前記電流検出部３３で電流を検知した日時および電流検知後に電流断を検知した日時を通信記録として前記記録部３４に記録し、前記ＰＢ信号／音声信号検出部４０で認識したＰＢ信号もしくは音声信号による他対地からの該通信記録読み出しの要求に対して、前記音声発生部３８から自動的に合成音声あるいはＰＢ信号で、前記記録部３４の記録内容を通知する。
【００２５】
すなわち、記録、通知側の加入者回線に接続されたアナログ端末例えば電話機の受話器３１を取り上げると通信回線３２が閉成され、通信回線３２に電流が流れ、通信相手のダイヤルを送出できる状態になる。このとき、電流検出部３３で電流が流れていることを検出する。また、着呼があって受話器３１を取り上げた場合も通信回線３２が閉成され、通信回線３２に電流が流れ、相手と話ができる状態になる。このときも、電流検出部３３で電流が流れていることを検出する。
【００２６】
このようなとき、屋内で受話器３１を取り上げた人を健常であると認識する。通話を終了して受話器を下ろすと通信回線３２が開放され、通信回線３２の電流が断たれる。この結果を計時部３５で計時した日時とともに記録部３４に記録する。
【００２７】
しかし、この自ら（記録、通知側）の通信回線３２に留守番電話機やＦＡＸなどが接続されており、着呼に対して自動応答するようになっていると、受話器３１を取り上げたときと同様に通信回線３２に電流が流れることになる。ここで、呼出信号に使用されている１５Ｈｚから２０Ｈｚの交流信号を検知する呼出信号検知部３９を具備し、その交流信号を監視すると、この信号は３秒を周期に発出されているため、この信号検出後３秒以内の電流検出は着呼に対する応答とみなし、それ以降の電流検出は自動応答によるものではなく発呼の為の操作と認識することができる。このように発信だけを認識することによって、本通信記録アダプタに接続された通信機器の自動応答が原因で、異常事態を見逃すことを防ぐことができる。
【００２８】
そこで、前記呼出信号検知部３９で１５〜２０Ｈｚの交流信号を検知した後、３秒間あるいは予め設定された時間の間に電流検知された場合は、着信応答と見なし、該交流信号を検知せずに電流検知がなされた場合は、発信と見なし、該交流信号を検知した後、３秒間あるいは予め設定された時間の間に電流検知がなされなかった場合は、着信に不応答と見なすように判断する解析部３０を設け、電流を検知した日時および電流検知後に電流断を検知した日時を通信記録として記録部３４に記録する。
【００２９】
尚、前記設定部３６に、予め登録された識別番号と、ＰＢ信号／音声信号検出部４０で認識された発信者からのＰＢ信号を解析部３０で比較し、他対地からの着信後に他対地から送られてくるＰＢ信号が予め登録された識別番号と一致したときのみ、記録部３４の通信記録内容を通知するようにしてもよい。
【００３０】
また、発信者の電話番号を認識する電話番号検出部を設け、前記電話番号検出部で認識された発信者の電話番号を、予め登録された電話番号と比較し、他対地からの着信時に発信者の電話番号が一致したときのみに、通信機器に呼び出し信号を送出せずに、記録部３４の通信記録内容を通知するようにしてもよい。
【００３１】
更に、通信記録アダプタは、他のセンサ装置を接続するための外部インターフェースを設け、外部からのセンサ情報を記録部３４に記録するようにしてもよい。
【００３２】
図４は、本発明通信記録アダプタのＩＳＤＮにおける一例を示す機能ブロック構成図である。
【００３３】
図において、４１はＩＳＤＮ回線、４２は回線終端機能部、４３は回線終端装置（ＤＳＵ）、４４は配下の回線終端装置（ＤＳＵ）に対する網終端機能部、４５は該回線のメッセージ分解／組立をする分解／組立部、４６は該加入者回線の使用状況を監視し、呼設定メッセージの方向で発呼、着呼を確認し、応答メッセージで通信の開始を確認し、切断メッセージで通信の終了を認識する情報を検出する解析部。４７は前記解析部４６で抽出された情報及びその情報を検出した日時を記録する記録部、４８は日時を計時する計時部、４９は設定部、５０は他対地からの通信記録読み出しの要求に対して、自動的に合成音声あるいはＰＢ信号で、前記記録部４７の記録内容をデータ変換し通知する音声データ変換部、５１はＰＢ信号検出部である。
【００３４】
すなわち、ＩＳＤＮでは、起動状態か停止状態かと、発着信の状態とは別であり、アナログ回線における図３のようには実現できない。ＩＳＤＮ回線４１は回線終端機能部４２で一旦終端し、恰も回線終端装置（ＤＳＵ）に接続されているように機能させる。一方、ＩＳＤＮ回線４１に接続する回線終端装置（ＤＳＵ）４３に接続するインタフェースとして恰も交換機のように見えるように網終端機能部４４を設け、本通信記録アダプタ内ではこの回線終端機能部４２と網終端機能部４４との間で分解／組立部４５によってメッセージを分解／組立てる。この分解／組立部４５を介して解析部４６で呼制御等のメッセージ情報を解析する。
【００３５】
この呼制御情報の中から網終端機能部４４から回線終端機能部４２方向の呼設定メッセージを検出すると、屋内からＩＳＤＮ回線方向に発信をしようとする人がおり、その人は健常であると認識する。この結果を日時とともに記録部４７に記録する。
【００３６】
尚、ディジタル通信モード（伝達能力：非制限ディジタル）のときは、Ｄチャネルを使用したＵＵＩ情報での他対地からの通信記録読み出しの要求に対し、記録内容通知手段から記録内容をＤチャネルを使用してＵＵＩ情報でディジタルデータとして回答し、通話モード（伝達能力：音声、３．１Ｋオーディオ）のときは、記録内容通知手段からＢチャネルを使用して合成音声によって記録内容を回答するようにしてもよい。
【００３７】
また、予め設定部４９に登録された識別番号と、前記ＰＢ信号検出部５１で認識された発信者からのＰＢ信号を、解析部４６で比較し、前記解析部４６で発信者からのＰＢ信号が一致したとき、記録部４７の記録内容を回答するようにしてもよい。
【００３８】
さらに、通信記録アダプタは、電話番号（発アドレス）および発サブアドレスおよび着サブアドレスを予め登録する設定部と、発信者からの電話番号（発アドレス）および発サブアドレスおよび着サブアドレスを認識する分解／組立部と、前記発信者からの電話番号（発アドレス）および発サブアドレスおよび着サブアドレスを、予め前記設定部に登録された電話番号（発アドレス）および発サブアドレスおよび着サブアドレスと比較する分析部を設け、前記分析部で電話番号（発アドレス）および発サブアドレスおよび着サブアドレスが一致したとき、配下の回線終端装置（ＤＳＵ）４３に制御情報を通知せず、記録部４７の記録内容を回答するようにしてもよい。
【００３９】
また、通信記録アダプタは、他のセンサ装置を接続するための外部インターフェースを設け、記録部４７に外部からのセンサ情報を記録するようにしてもよい。
【００４０】
【発明の効果】
以上述べたように本発明によれば、通信利用の状態を記録し遠隔から確認する機能をもたせることで、普遍的で簡易なセキュリティ機能を実現することができる。このことは、これからの核家族化と高齢化と情報化が同時に進むわが国の社会基盤として大きく寄与することとなる。
【図面の簡単な説明】
【図１】本発明の実施形態例に係る通信記録アダプタを利用したアナログネットワークシステムを示す構成図である。
【図２】本発明の実施形態例に係る通信記録アダプタを利用したＩＳＤＮシステムを示す構成図である。
【図３】本発明の実施形態例に係る通信記録アダプタのアナログネットワークにおける一例を示す機能ブロック構成図である。
【図４】本発明の実施形態例に係る通信記録アダプタのＩＳＤＮにおける一例を示す機能ブロック構成図である。
【符号の説明】
３０  解析部
３１  受話器
３２  通信回線
３３  電流検出部
３４  記録部
３５  計時部
３６  設定部
３７  応答検知部
３８  音声発生部
３９  呼出信号検知部
４０  ＰＢ信号／音声信号検出部
４１  ＩＳＤＮ回線
４２  回線終端機能部
４３  回線終端装置（ＤＳＵ）
４４  網終端機能部
４５  分解／組立部
４６  解析部
４７  記録部
４８  計時部
４９  設定部
５０  音声データ変換部
５１  ＰＢ信号検出部
【図１】
0003628952.tif 000002
【図２】
0003628952.tif 000003
【図３】
0003628952.tif 000004
【図４】
0003628952.tif 000005